(57)【要約】【課題】勾配の異なる複数の階段を体験することができ、しかも、それを狭いスペースを有効利用して行うことができる階段勾配比較体験設備を提供する。【解決手段】勾配の異なる複数の体験用階段２，３，４が備えられ、これら階段が側方に引き出せるように上下重なり状に備えられ、階段を引き出して各階段の階段勾配を比較体験できるようになされている。【選択図】      図１
2004264574.tif 000002
【特許請求の範囲】
【請求項１】
勾配の異なる複数の体験用階段が備えられ、これら全部の階段又は一部の階段が側方に引き出せるように上下重なり状に備えられ、階段を引き出して各階段の階段勾配を比較体験できるようになされていることを特徴とする階段勾配比較体験設備。
【請求項２】
前記体験用階段が収納部に収納され、体験用階段のそれぞれが収納部から外に引き出せるようになされていて、体験用階段を収納部から引き出して各階段の階段勾配を比較体験できるようになされている請求項１に記載の階段勾配比較体験設備。
【請求項３】
請求項１又は請求項２に記載の階段勾配比較体験設備を用い、体験希望者に階段勾配についての比較体験を行わせることを特徴とする階段勾配比較体験提供方法。
【発明の詳細な説明】
【０００１】
【発明の属する技術分野】
本発明は、階段勾配比較体験設備に関する。
【０００２】
【従来の技術】
住宅の新築や増改築において、新たに導入しようとする階段について、階段の勾配がどの程度であれば、使用者が安全かつ容易に上り下りすることができるかを、予め比較体験できると非常に便利である。
【０００３】
そのため、従来より、勾配の異なる複数の階段を併設して、体験希望者にそれぞれの階段を体験できるようにしたものなどが提供されている。
【０００４】
【発明が解決しようとする課題】
しかしながら、勾配の異なる複数の体験用階段を併設するのでは、体験用階段の設置に広いスペースを必要とし、そのスペースを常時それらの階段で占有されてしまうという問題がある。
【０００５】
本発明は、上記のような問題点に鑑み、勾配の異なる複数の階段を体験することができ、しかも、それを狭いスペースを有効利用して行うことができる階段勾配比較体験設備を提供することを課題とする。
【０００６】
【課題を解決するための手段】
上記の課題は、勾配の異なる複数の体験用階段が備えられ、これら全部の階段又は一部の階段が側方に引き出せるように上下重なり状に備えられ、階段を引き出して各階段の階段勾配を比較体験できるようになされていることを特徴とする階段勾配比較体験設備によって解決される。
【０００７】
この設備では、体験を行うときは、階段を引き出して各階段の階段勾配を比較体験することができる。しかも、体験を行わないときは、引き出した階段を元に戻してこれら階段を上下重なり状にすることで、設備周囲のスペースを広くすることができ、それによって、狭いスペースを有効利用しながら体験を行っていくことができる。
【０００８】
加えて、各階段は上下重なり状に備えられ、引出し式で側方に引き出すようになされているので、体験を行わないときの階段群をコンパクトにすることができ、しかも、出し入れの操作を容易に行うことができる。
【０００９】
また、上記の設備において、体験用階段が収納部に収納され、体験用階段のそれぞれが収納部から外に引き出せるようになされていて、体験用階段を収納部から引き出して各階段の階段勾配を比較体験できるようになされている場合は、体験を行うときは、階段を収納部から引き出して階段勾配を比較体験することができ、体験を行わないときは、引き出した階段を収納部に戻してこれら階段を上下重なり状にすることで、体験用階段を収納部にコンパクトに収納することができる。
【００１０】
上記の階段勾配比較体験設備を用い、体験希望者に階段勾配についての比較体験を行わせることによって、福祉分野であるか、住宅関連分野であるか、教育分野であるかを問わず、体験をさせる側は、設備の利用スペースの確保に苦慮することなく、体験設備を容易に導入していくことができるようになり、希望者の体験希望に容易に応えていくことが可能となる。
【００１１】
【発明の実施の形態】
次に、本発明の実施形態を図面に基づいて説明する。
【００１２】
図１に示す第１実施形態の階段勾配比較体験設備において、１は収納部としての収納ボックスであり、収納ボックス１内には勾配の異なる３つの体験用階段２，３，４が収納され、これら階段２，３，４は、収納ボックス１内で上下重なり状に備えられ、それぞれが側方に引き出すことで収納ボックス１の外に出せるようになされている。本実施形態では、勾配の急な階段２が下、勾配の緩やかな階段４が上となるように上下重なり状にされて収納ボックス１内に収納されているが、図４（イ）に示すように、勾配の緩やかな階段４が下、勾配の急な階段２が上となるように備えられていてもよいし、あるいはまた、図４（ロ）に示すようであってもよいし、図４（ハ）に示すようであってもよいし、これら階段の上下の配置関係に特別の制限はない。
【００１３】
上記の設備では、例えば次のようにして体験を行っていくことができる。即ち、図２（イ）に示すように、３つすべての階段２，３，４を収納ボックス１から外に引き出し、図３（イ）に示すように、最上部の勾配の緩やかな階段４を昇降して、その勾配を体験する。しかる後、図２（ロ）に示すように、最上部の階段４のみを収納ボックス１内に収納し、図３（ロ）に示すように、勾配が中位の階段３を昇降して、その勾配を体験する。そして、図２（ハ）に示すように、勾配が急な階段２を残して勾配が中位の階段３も収納ボックス１内に収納し、図３（ハ）に示すように、勾配が急な階段２を昇降して、その勾配を体験する。最後に、勾配が急な階段２も収納ボックス１内に収納し、すべての体験用階段２，３，４を収納ボックス１内に収納する。
【００１４】
あるいは、収納ボックス１から階段を一つ引き出しては、その階段の体験を行い、収納ボックス１に収納する、という操作を繰り返していくことで、異なる勾配の階段を複数体験していくようにしてもよい。その場合に、体験は、勾配が急な階段２から行うようにしてもよいし、勾配が緩やかな階段４から行うようにしてもよいし、勾配が中位の階段３から行うようにしてもよいなど、好みの順序で行われてよい。
【００１５】
なお、階段２，３，４は、人手によって引き出したり収納したりするようになされていてもよいし、機械によって自動で引き出されたり収納されたりするようになされていてもよい。この点については、以下に述べる第２実施形態の場合も同様である。
【００１６】
このように上記の設備によれば、勾配の異なる３種類の階段２，３，４を比較体験することができ、しかも、体験を終えたなら、体験用階段２，３，４は上下重なり状となるようにして収納ボックス１内にコンパクトに収納されるから、設備周囲のスペースを広くすることができ、設備もコンパクトに成し得て、狭いスペースを有効利用しながら勾配の異なる複数の階段を体験することができる。
【００１７】
なお、収納ボックス１への収納状態において、階段２，３，４を出し入れする側の開口部は、そのまま開口させるようにしてもよいし、蓋で閉じるようにしてもよいし、カバーで覆うようにしてもよい。
【００１８】
図５（イ）に示す第２実施形態の設備は、収納ボックス等の収納部はなく、勾配の異なる３種類の階段２，３，４が上下重なり状に備えられている。そして、図５（ロ）に示す例では、いずれか一つの体験用階段を固定階段とし、残り二つの階段を側方に引き出すことによって、勾配の異なる階段２，３，４を３つ並列状態にすることができるようになされている。また、図５（ハ）に示す例では、いずれか少なくとも２つの階段が側方に引き出せるようになっていて、いずれか１つ又は２つの階段を側方に引き出すことによって勾配の異なる階段を２つ並列状態にすることができるようになされている。
【００１９】
このように、上記のような体験設備を用い、体験希望者に階段勾配についての比較体験を行わせることによって、体験をさせる側は、設備の利用スペースの確保に苦慮することなく、体験設備を容易に導入していくことができるようになり、希望者の体験希望に容易に応えていくことが可能となる。
【００２０】
以上に、本発明の実施形態を示したが、本発明はこれに限られるものではなく、発明思想を逸脱しない範囲で各種の変更が可能である。例えば上記の実施形態では勾配の異なる３つの階段を体験できるようになされているが、勾配の異なる４つ以上の階段を体験する設備に構成されていてもよいし、勾配の異なる２つの階段を体験する設備に構成されていてもよい。
【００２１】
【発明の効果】
本発明は、以上のとおりのものであるから、勾配の異なる複数の階段を体験することができ、しかも、それを狭いスペースを有効利用して行うことができる。
【図面の簡単な説明】
【図１】第１実施形態の体験設備を示すもので、図（イ）は斜視図、図（ロ）は側面図である。
【図２】図（イ）はすべての階段が引き出された状態の斜視図、図（ロ）は２つの階段が引き出された状態の斜視図、図（ハ）は１つの階段が引き出された状態の斜視図である。
【図３】図（イ）乃至図（ハ）はそれぞれの階段について体験している状態を示す側面図である。
【図４】図（イ）乃至図（ハ）はそれぞれ上下方向における階段の重なり順序についての変更例を示す側面図である。
【図５】第２実施形態の体験設備を示すもので、図（イ）は引き出す前の階段の斜視図、図（ロ）は引き出した状態の一例を示す斜視図、図（ハ）は引き出した状態の他の例を示す斜視図である。
【符号の説明】
１…収納ボックス（収納部）
２…勾配が急な階段
３…勾配が中位の階段
４…勾配が緩やかな階段
【図１】
2004264574.tif 000003
【図２】
2004264574.tif 000004
【図３】
2004264574.tif 000005
【図４】
2004264574.tif 000006
【図５】
2004264574.tif 000007